(57)【特許請求の範囲】
【請求項１】
ディスクを保持して所定の一方向に回転させるディスク回転部と、そのディスクを前記ディスク回転部と外部との間で出し入れするための細長の開口部を有する筐体と、前記ディスクの記録情報を読み取る信号読取部と、前記信号読取部及び前記ディスク回転部を含む駆動系の制御を行う制御部とを備え、その制御部が電子部品から成る発熱体を含んでいるディスク駆動装置において、
前記開口部が前記ディスク回転部で保持されたディスクの外周縁よりも外側に配置され、
前記筐体における前記ディスク回転部の軸方向に位置するカバープレートには、外気を取り込む吸気孔が穿設されると共に、
前記筐体をディスクの回転軸方向から見て前記開口部の長手方向中央と前記ディスク回転部の軸心を通る直線を基準に、
前記ディスクの外周上における任意の点が前記開口部より離間する方向に回転移動する前記筐体の一方側の領域を第１エリアとし、
前記ディスクの外周上における任意の点が前記開口部に対し接近する方向に回転移動する領域であって、前記第１エリアとは反対となる前記筐体の他方側の領域を第２エリアとして、
前記信号読取部の位置が前記第１エリア内に割り当てられ、前記発熱体の位置が前記第２エリアに割り当てられており、
前記吸気孔の位置が前記第２エリア内にあり、且つ前記発熱体を成す電子部品の少なくとも１つよりも前記開口部とは反対となる奥側に割り当てられていることを特徴とするディスク駆動装置。
【請求項２】
ディスクを保持して所定の一方向に回転させるディスク回転部と、そのディスクを前記ディスク回転部と外部との間で出し入れするための細長の開口部を有する筐体と、前記ディスクの記録情報を読み取る信号読取部と、前記信号読取部及び前記ディスク回転部を含む駆動系の制御を行う制御部とを備え、その制御部が電子部品から成る発熱体を含んでいるディスク駆動装置において、
前記開口部が前記ディスク回転部で保持されたディスクの外周縁よりも外側に配置され、
前記筐体における前記ディスク回転部の軸方向に位置し、前記発熱体の上方に位置するカバープレートには、外気を取り込む吸気孔が穿設されると共に、
前記筐体をディスクの回転軸方向から見て前記開口部の長手方向中央と前記ディスク回転部の軸心を通る直線を基準に、
前記ディスクの外周上における任意の点が前記開口部より離間する方向に回転移動する前記筐体の一方側の領域を第１エリアとし、
前記ディスクの外周上における任意の点が前記開口部に対し接近する方向に回転移動する領域であって、前記第１エリアとは反対となる前記筐体の他方側の領域を第２エリアとして、
前記信号読取部の位置が前記第１エリア内に割り当てられ、前記発熱体の位置が前記第２エリアに割り当てられており、
前記吸気孔の位置が前記第２エリア内にあり、且つ前記発熱体を成す電子部品の少なくとも１つと対向する位置に割り当てられていることを特徴とするディスク駆動装置。
【請求項３】
前記吸気孔は、前記カバープレートにおける前記ディスクと対向する位置に複数設けられていることを特徴とする請求項１、又は２記載のディスク駆動装置。
【請求項４】
前記信号読取部の位置が、前記第１エリア内にあって前記ディスク回転部の軸心よりも前記開口部とは反対となる奥側に割り当てられていることを特徴とする請求項１〜３のいずれか１項に記載のディスク駆動装置。
【請求項５】
前記発熱体の位置が前記第２エリア内におけるディスクの外周側となる位置に割り当てられていることを特徴とする請求項１〜４のいずれか１項に記載のディスク駆動装置。
【発明の詳細な説明】
【技術分野】
【０００１】
本発明は、ＣＤ（Compact Disc）やＤＶＤ（Digital Versatile Disc）などのディスクに記録された情報を再生するディスク駆動装置に係わり、特に光ピックアップのように熱や塵埃に対して脆弱な信号読取部を保護することのできる放熱、防塵性能に優れたディスク駆動装置に関する。
【背景技術】
【０００２】
ディスク駆動装置は、情報記録媒体としてのディスク（光ディスク、光磁気ディスク、磁気ディスクなど）に記録された情報を読み取るために、ディスクの半径方向に移動する信号読取部を備えるが、その種の信号読取部は熱や塵埃によって性能、寿命が低下することが知られている。
【０００３】
例えば、光ピックアップでは、集光用の対物レンズに塵埃が付着するとレーザ光が塵埃に邪魔されてディスクとの間でアクセス不良を起こすし、高温下に長時間さらされれば短期間で劣化してしまう。尚、信号読取部を塵埃から保護するために筐体を密閉構造にすれば制御用電子部品から放出される熱が筐体内にこもってしまうし、その種の発熱体を空冷するべく筐体内に外気を流入せしめて強制換気を行えば、筐体内への塵埃の侵入を許容してしまうことになる。
【０００４】
そこで、信号読取部（光ピックアップ）などを内蔵した筐体（ケース）を密閉構造とし、その筐体及び制御部を放熱孔が穿設された箱型のカバー内に設置し、そのカバー内に送風機を設けるという提案がされている（例えば、特許文献１）。
【０００５】
又、ディスクの中心に対向する位置で筐体の天板に吸気口を穿設する一方、筐体の前面側に排気口を設け、ディスクの回転に際して吸気口から吸入された外気がディスクを挟んでピックアップが配置される側とは反対側の内部空間を通じて排気口から外部に排出されるようにしたディスク駆動装置が提案されている（例えば、特許文献２）。
【０００６】
【特許文献１】特開平４−１２９０８４号公報（第６頁上欄、第７図）
【０００７】
【特許文献２】特開２００５−２４３１２６号公報（段落００４８〜００５３）
【発明の開示】
【発明が解決しようとする課題】
【０００８】
しかしながら、特許文献１のように、密閉構造とされる筐体とは別のカバー内に送風機を設けるという構成では、防塵、放熱性能を高めることはできても装置全体の大型化を招き、しかも送風機の駆動に関係して消費電力が大きくなり、大きな騒音も発するという難点がある。
【０００９】
一方、特許文献２では、吸気口と排気口がディスクを挟んでピックアップが配置される側とは反対側の内部空間を臨むようにして設けられるが、ピックアップは吸気口と排気口との間に位置しているので、ピックアップが吸気口から排気口に向かう気流にさらされ、当該気流に含まれる塵埃で汚損される危険性が高い。つまり、吸気口から流入した外気は回転するディスクの遠心力によりその外周側に吹き飛ばされるので、その一部はディスクの外周縁からピックアップの配置側に回り込み、ピックアップの位置を通過して排気口に向かうようになる。従って、吸気口からの流入空気に塵埃が含まれていると、これがピックアップに付着してしまう。尚、特許文献２では、吸気口から塵埃が侵入せぬように吸気口に不織布などから成る防塵フィルタを設けているが、その種の防塵フィルタでは使用環境によって早期に目詰まりを生ずるので頻繁に交換しなければならないし、交換を怠った場合には筐体内に熱がこもってピックアップの寿命を低下させてしまうことになる。
【００１０】
本発明は以上のような事情に鑑みて成されたものであり、その目的はディスクの回転により生ずる気流を利用して筐体内における熱のこもりを防止しながら、塵埃が気流に乗って筐体内に侵入しても信号読取部が塵埃で汚損されることを防止できるようにすることにある。
【課題を解決するための手段】
【００１１】
本発明は上記の目的を達成するため、
ディスクＤを保持して所定の一方向に回転させるディスク回転部２と、そのディスクＤをディスク回転部２と外部との間で出し入れするための細長の開口部１６を有する筐体１と、ディスクＤの記録情報を読み取る信号読取部３と、信号読取部３及びディスク回転部２を含む駆動系の制御を行う制御部５とを備え、その制御部５が電子部品５２，５３から成る発熱体を含んでいるディスク駆動装置において、
開口部１６がディスク回転部２で保持されたディスクＤの外周縁よりも外側に配置され、
筐体１におけるディスク回転部２の軸方向に位置するカバープレート１５には、外気を取り込む吸気孔１５Ａが穿設されると共に、
筐体１をディスクＤの回転軸方向から見て開口部１６の長手方向中央とディスク回転部２の軸心を通る直線Ｃ−Ｃを基準に、
ディスクＤの外周上における任意の点が開口部１６より離間する方向に回転移動する筐体１の一方側の領域を第１エリアＬａとし、
ディスクＤの外周上における任意の点が開口部１６に対し接近する方向に回転移動する領域であって、第１エリアＬａとは反対となる筐体１の他方側の領域を第２エリアＲａとして、
信号読取部３の位置が第１エリアＬａ内に割り当てられ、発熱体（電子部品５２，５３）の位置が第２エリアＲａに割り当てられており、
吸気孔１５Ａの位置が第２エリアＲａ内にあり、且つ発熱体を成す電子部品５２，５３の少なくとも１つよりも開口部１６とは反対となる奥側に割り当てられていることを特徴とする。
【００１２】
又、ディスクＤを保持して所定の一方向に回転させるディスク回転部２と、そのディスクＤをディスク回転部２と外部との間で出し入れするための細長の開口部１６を有する筐体１と、ディスクＤの記録情報を読み取る信号読取部３と、信号読取部３及びディスク回転部２を含む駆動系の制御を行う制御部５とを備え、その制御部５が電子部品５２，５３から成る発熱体を含んでいるディスク駆動装置において、
開口部１６がディスク回転部２で保持されたディスクＤの外周縁よりも外側に配置され、
筐体１におけるディスク回転部２の軸方向に位置し、発熱体（電子部品５２，５３）の上方に位置するカバープレート１５には、外気を取り込む吸気孔１５Ａが穿設されると共に、
筐体１をディスクＤの回転軸方向から見て開口部１６の長手方向中央とディスク回転部２の軸心を通る直線Ｃ−Ｃを基準に、
ディスクＤの外周上における任意の点が開口部１６より離間する方向に回転移動する筐体１の一方側の領域を第１エリアＬａとし、
ディスクＤの外周上における任意の点が開口部１６に対し接近する方向に回転移動する領域であって、第１エリアＬａとは反対となる筐体１の他方側の領域を第２エリアＲａとして、
信号読取部３の位置が第１エリアＬａ内に割り当てられ、発熱体（電子部品５２，５３）の位置が第２エリアＲａに割り当てられており、
吸気孔１５Ａの位置が第２エリアＲａ内にあり、且つ発熱体を成す電子部品５２，５３の少なくとも１つと対向する位置に割り当てられていることを特徴とする。
【００１３】
又、吸気孔１５Ａは、カバープレート１５におけるディスクＤと対向する位置に複数設けられていること、信号読取部３の位置が、第１エリアＬａ内にあってディスク回転部２の軸心よりも開口部１６とは反対となる奥側に割り当てられていること、及び発熱体（電子部品５２，５３）の位置が第２エリアＲａ内におけるディスクＤの外周側となる位置に割り当てられていることを特徴とする。
【発明の効果】
【００１４】
本発明によれば、ディスクを出し入れするための開口部をディスクの回転により発生する気流の流出口として、信号読取部の位置を、ディスクの外周上における任意の点が開口部より順次離間する方向に回転移動する筐体の一方側の領域（第１エリア）に割り当てる一方、制御用電子部品から成る発熱体及び外気を吸引する吸気孔の位置を、ディスクの外周上における任意の点が開口部に対し順次接近する方向に回転移動する筐体の他方側の領域（第２エリア）に割り当てていることから、発熱体から放出される熱を吸気孔から流入する外気と一緒に外部排出して筐体内における熱のこもりを防止でき、吸気孔から流入した外気に塵埃が含まれていても、これを信号読取部に浴びせることなく気流の流出口となる開口部から排出できる。
【００１５】
特に、信号読取部の位置が、第１エリア内にあってディスク回転部の軸心よりも開口部とは反対となる奥側に割り当てられることにより、信号読取部を吸気孔から開口部に向かう気流の経路から完全に外して塵埃による信号読取部の汚損を防止できる。
【００１６】
更に、発熱体の位置が第２エリア内におけるディスクの外周側となる位置に割り当てられることにより、ディスクの外周側に吹き飛ばされる空気が発熱体に大量に浴びせられるようになるので、空冷効果が上がる。
【発明を実施するための最良の形態】
【００１７】
以下、図面に基づいて本発明を詳しく説明する。図１は本発明に係るディスク駆動装置を示した正面概略図、図２は同装置を示した平面概略図である。図１、図２において、１は装置の外装を成す箱型の筐体である。この筐体１は前面部１１、背面部１２、両側面部１３Ａ，１３Ｂ、底面部１４、及び上面を成すカバープレート１５を有し、その前面部１１にはディスクＤ（本例においてＣＤやＤＶＤといった光ディスク）を出し入れするための細長（スリット状）の開口部１６が形成されている。
【００１８】
図２において、２は開口部１６から筐体１の内部に挿入されたディスクＤを所定の一方向（図２の時計回り）に回転させるディスク回転部であり、このディスク回転部２は、スピンドルモータ２１のロータ軸に円形のターンテーブル２２を固着して構成されている。
【００１９】
又、３はディスク回転部２により回転されるディスクＤから記録情報を読み取る信号読取部（本例において光ピックアップ）であり、この信号読取部３は、キャリッジ４に搭載されてディスクＤの半径方向に移動可能とされている。尚、信号読取部３は、対物レンズ３１のほか、その対物レンズ３１を通じてディスクＤに照射すべきレーザ光を発生する図示せぬ発光部（レーザダイオード）、及びディスクＤからの反射光を受ける図示せぬ受光部（光検出器）などから成り、それらをキャリッジ４に一体的に組み込んでピックアップユニットを構成する。
【００２０】
一方、図２から明らかなように、ディスクＤの回転軸方向（ターンテーブル２２の軸方向）に位置する筐体１のカバープレート１５には、直径数ミリ程度の吸気孔１５Ａが所定範囲内に複数群がって穿設され、ディスク回転部２によるディスクＤの回転に際して当該吸気孔１５Ａから筐体１内に外気が引き込まれるようになっている。
【００２１】
又、図２において、５は制御部であり、この制御部５は筐体１の底面部１４に固定される基板５１に発熱体となる制御用の電子部品５２，５３を実装して構成される。ここに、図２に示される２つの電子部品５２，５３のうち、一方の電子部品５２は信号読取部３の出力を信号処理して信号読取部のフォーカス制御やトラッキング制御を行う集積回路装置（ＬＳＩ）、他方の電子部品５３はディスク回転部２を構成するスピンドルモータ２１などの駆動制御を行う集積回路装置（モータドライバ）とされている。
【００２２】
ここに、係るディスク駆動装置では、開口部１６をディスクＤの回転により発生する気流の流出口として、該開口部１６、信号読取部３、電子部品５２、吸気孔１５Ａ、及び電子部品５３がディスクＤの回転方向に順に位置するようにされている。
【００２３】
特に、図２のように筐体１をディスクＤの回転軸方向から見て、開口部１６の長手方向中央とディスク回転部２の軸心とを通る直線Ｃ−Ｃを基準に、筐体１の一方側の領域（直線Ｃ−Ｃと側面部１３Ａとの間）を第１エリアＬａとして、該第１エリアＬａ内に信号読取部３の位置が割り当てられている。又、第１エリアＬａとは反対となる筐体１の他方側の領域（直線Ｃ−Ｃと側面部１３Ｂとの間）を第２エリアＲａとして、該第２エリアＲａ内に発熱体としての電子部品５２，５３及び吸気孔１５Ａの位置が割り当てられている。
【００２４】
尚、第１エリアＬａでは、ディスク回転部２によるディスクＤの回転に際してその外周上における任意の点が開口部１６より順次離間する方向に回転移動し、第２エリアＲａでは、ディスク回転部２によるディスクＤの回転に際してその外周上における任意の点が開口部１６に対し順次接近する方向に回転移動する。
【００２５】
しかして、ディスク回転部２によりディスクＤが一方向に高速回転されると、その周辺の空気がディスクＤにより回されて筐体１内にディスクＤと同回りの気流が発生するが、筐体１内の空気はディスクＤから遠心力を受けて外周側に押しやられるようになるので、ディスクＤの両面側において空気圧が低下し、ひいてはディスクＤの片面上に位置する吸気孔１５Ａを通じて筐体１内に外気が流入しつつ、ディスクＤの外周側に位置する開口部１６から筐体１の外部に排気が行われる。
【００２６】
図３は、ディスクＤの回転により発生する気流の動きを示している。この図で明らかなように、ディスクＤの回転時（図３において時計回り）には、筐体１内の空気が電子部品５２，５３上を流れ、電子部品５２，５３から放出される熱が吸気孔１５Ａから取り込まれる外気と一緒に開口部１６から排出されるようになるのであり、このため電子部品５２，５３は良好に空冷され、筐体１内にはディスクＤの回転に際して熱がこもらない。
【００２７】
又、吸気孔１５Ａから流入する外気に塵埃が含まれていても、その大部分は筐体１内の気流に乗って吸気孔１５Ａの下流に位置する開口部１６から排出されるので、開口部１６の下流に位置する信号読取部３まで塵埃が回り込んで信号読取部３を汚損してしまうことがない。
【００２８】
ここに、吸気孔１５Ａから流入した外気の全てが開口部１６からすぐに流出する訳でなく、その一部は第１エリアＬａ内にも回り込むので、信号読取部３の位置は図２、図３に示されるように、第１エリアＬａ内にあってディスク回転部２の軸心よりも開口部１６とは反対となる奥側（背面部１２側）に割り当てられることが好ましく、これにより信号読取部３を気流の流出口となる開口部１６から遠ざけてその防塵効果を一層高めることができる。
【００２９】
又、上記のように筐体１内の空気はディスクＤの内周側から外周側に向かって流れるようになるので、電子部品５２，５３（発熱体）の位置は、第２エリアＲａ内におけるディスクＤの外周側となる位置に割り当てられることが好ましく、これにより電子部品５２，５３の空冷、放熱効果をより一層高めることができる。
【００３０】
尚、信号読取部３の位置を上記とは逆に第２エリアＲａに割り当てると、電子部品５２，５３に対して信号読取部３がディスクＤの回転方向とは逆側に位置していても、筐体１内のスペースの関係で信号読取部３が電子部品５２，５３に近接し、電子部品５２，５３の輻射熱により信号読取部３が劣化してしまい、これを防止するべく信号読取部３の位置を第２エリアＲａ内に割り当てる一方、発熱体となる電子部品５２，５３を信号読取部３から離間した第１エリアＬａ内に割り当てれば、ディスクＤの回転に際して電子部品５２，５３からの放熱による熱風が下流の信号読取部３に浴びせられ、その熱風により信号読取部３が熱劣化してしまうことになる。
【００３１】
以上、本発明に係るディスク駆動装置の構成例を説明したが、信号読取部３などは読取専用に限らず情報の書き込み機能を有していてもよく、また光ピックアップに限らず磁気ディスクに対応して磁気ヘッドとしてもよい。
【００３２】
更に、発熱体としての電子部品５２，５３は、第２エリアＲａ内であれば吸気孔１５Ａより筐体１内における気流の上流側となる位置に割り当てられていてもよいが、放熱効果を高める上では吸気孔１５Ａの直下、あるいは吸気孔１５Ａよりも筐体１内に発生する気流の下流となる位置に割り当てられることが好ましい。尚、制御部５は上記のような電子部品５２，５３以外にも複数の電子部品を有して構成され、その多くは発熱体となり得るが、本発明において、発熱体とは制御部５を構成する電子部品のうち発熱量が最大乃至は上位３番目程度のものまでを対象とする。
【図面の簡単な説明】
【００３３】
【図１】本発明に係るディスク駆動装置を示す正面概略図
【図２】同装置の平面概略図
【図３】ディスク回転時に発生する気流の動きを示す説明図
【符号の説明】
【００３４】
１  筐体
１５  カバープレート
１５Ａ  吸気孔
１６  開口部
２  ディスク回転部
３  信号読取部
５  制御部
５２  電子部品（発熱体）
５３  電子部品（発熱体）
【図１】
0004893604.tif 000002
【図２】
0004893604.tif 000003
【図３】
0004893604.tif 000004